(57)【特許請求の範囲】
【請求項１】
被穿孔体に穿孔された既設透孔を穿孔具により拡大する際に、該穿孔具のセンター軸を位置決めさせるための既設透孔拡大用治具であって、
前記穿孔具の押圧力によって前記既設透孔の反対側に抜け出ないようにガイドするためのガイド部と、
前記穿孔具のセンター軸を位置決めするためのセンター軸位置決め部と、
前記センター軸位置決め部によりセンター軸が位置決めされた前記穿孔具により押圧されると共に、付勢手段によって前記穿孔具の押圧方向に付勢されて、前記穿孔具の押圧力により前記ガイド部を前記被穿孔体に押圧させるための被押圧部と、
前記ガイド部に設けられて、自身の弾性力により既設透孔の内周面を押圧する押圧部と、
を備えていることを特徴とする既設透孔拡大用治具。
【請求項２】
前記既設透孔に対する横方向のずれを規制するための規制部を備えていることを特徴とする請求項１に記載の既設透孔拡大用治具。
【請求項３】
前記ガイド部を備えたガイド体と、前記センター軸位置決め部と被押圧部とを備えた被押圧体とが別体で構成されていることを特徴とする請求項１に記載の既設透孔拡大用治具。
【請求項４】
前記ガイド体に、前記既設透孔に対する横方向のずれを規制するための規制部が設けられていることを特徴とする請求項３に記載の既設透孔拡大用治具。
【請求項５】
前記押圧部の外側が階段状に形成されることにより、前記ガイド部及び規制部が構成されていることを特徴とする請求項４に記載の既設透孔拡大用治具。
【発明の詳細な説明】
【０００１】
【発明の属する技術分野】
本発明は、建築物の天井板等の被穿孔体に穿孔された既設透孔を穿孔具により拡大する際に、前記穿孔具のセンター軸を位置決めするための既設透孔の拡大時に使用される既設透孔拡大用治具に関するものである。
【０００２】
【従来の技術】
例えば、建築物の天井板にダウンライト等の補助照明器を取付けるには、この天井板に補助照明器に対応した大きさの円透孔を穿孔し、この円透孔を使用して上記照明器を取付けている。このような場合、既設の補助照明器よりも大きな照明器を取付けるには、既設の円透孔とほぼ同心であって、しかもこれよりも大きな透孔を穿孔する必要がある。
【０００３】
上記したように、既設の透孔と中心をほぼ同じにして、これよりも大きな透孔を穿孔する際には、穿孔具のセンターを既設透孔の中心に保持する治具が必要であり、従来、実公平5-29768 号公報に開示のものが知られている。この治具は、被穿孔体に設けられた既設透孔の周縁部の表裏両面に一対の取付部材を配置して、該一対の取付部材を組付部材を介して一体に組み付けることによって、前記既設透孔の周縁部を前記一対の取付部材で挟圧し、該組付部材に設けられた中心孔に穿孔具のセンターを挿入保持して、既設透孔よりも大きな透孔を穿孔する構成である。
【０００４】
上記公報に開示された治具は、既設透孔の拡大の穿孔作業を行う毎に、一対の取付部材を既設透孔の周縁部の表裏両面に配置して、この一対の取付部材を組付部材によって一体に組み付ける必要があると共に、穿孔作業終了後には、これらを分解する必要がある。従って、既設透孔の周縁部に対してセンター保持具を装着したり、これを取り外したりする作業が極めて面倒である。これに加えて、一対の取付部材を既設透孔の中心に配置する基準部が存在しないために、目視に依存せざるを得ず、仮に一対の取付部材が既設透孔の中心部に配置されたとしても、穿孔時の振動によって、一対の取付部材の位置がずれる恐れがある。
【０００５】
【発明が解決しようとする課題】
本発明は、穿孔具の振動によっても、そのセンター軸がずれないようにして、既設透孔を拡大した拡大透孔が穿孔できる既設透孔拡大用治具の提供を課題としている。
【０００６】
【課題を解決するための手段】
この課題を解決するための請求項１の発明は、被穿孔体に穿孔された既設透孔を穿孔具により拡大する際に、該穿孔具のセンター軸を位置決めさせるための既設透孔拡大用治具であって、前記穿孔具の押圧力によって前記既設透孔の反対側に抜け出ないようにガイドするためのガイド部と、前記穿孔具のセンター軸を位置決めするためのセンター軸位置決め部と、前記センター軸位置決め部によりセンター軸が位置決めされた前記穿孔具により押圧されると共に、付勢手段によって前記穿孔具の押圧方向に付勢されて、前記穿孔具の押圧力により前記ガイド部を前記被穿孔体に押圧させるための被押圧部と、前記ガイド部に設けられて、自身の弾性力により既設透孔の内周面を押圧する押圧部との４つの機能部を備えていることを、その特徴としている。
【０００７】
請求項１の発明によれば、センター軸位置決め部によりセンター軸が位置決めされた穿孔具を被押圧部に対して押圧させると、該被押圧部は、付勢手段によって穿孔具の押圧方向に付勢されると共に、ガイド部を被穿孔体に対して押圧して、該ガイド部によって、既設透孔拡大用治具が前記既設透孔の反対側に抜け出ないようにガイドされ、しかも押圧部の有する弾性力により既設透孔の内周面を弾性的に押圧していて、この状態で手を開放しても、ガイド部は既設透孔の周縁部に保持されたままとなっているため、ガイド部が横方向にずれたり、落下したりしない。このため、穿孔中においても、ガイド部は、被穿孔体に対してガイドされ、しかも穿孔具が多少上下しても、前記ガイド部は、穿孔具により付勢手段を介して被穿孔体に対して押圧されているために、穿孔具の上下動は、付勢手段により吸収されて、既設透孔よりも大きな拡大透孔が穿孔される。また、穿孔中に生ずる穿孔具の振動の一部は、付勢手段により吸収されるために、穿孔作業自体も円滑に行われる。また、請求項２の発明のように、既設透孔拡大用治具に、横方向のずれを規制するための規制部を備えている場合には、前記治具は、前記規制部によって横方向にずれなくなると共に、前記ガイド部によって既設透孔の反対側に抜け出なくなって、穿孔具のセンター軸の位置決めが一層確実になされる。また、請求項３の発明のように、前記ガイド部を備えたガイド体と、前記センター軸位置決め部と被押圧部とを備えた被押圧体とを別体で構成すると、最大幅の異なる複数種類のガイド体に対して被押圧体を共用できる。また、請求項４の発明のように、請求項３の発明において、前記ガイド体に、前記既設透孔に対する横方向のずれを規制するための規制部を設けると、ガイド体とは別体の規制部を設ける必要がなくなる。更に、請求項５の発明のように、請求項４の発明において、前記押圧部の外側を階段状に形成すると、既設透孔の内周面と押圧部との係合がしっかりして、ガイド体の横方向へのずれと、下方への落下を一層確実に防止できる。
【０００８】
【発明の実施の形態】
以下、実施例を挙げて本発明を更に詳細に説明する。図１は、本発明に係る既設透孔拡大用治具を既設透孔Ｈ’の周縁部に当てがった状態の断面図であり、図２は、この治具を構成するガイド体Ｇ1 の斜視図であり、図３は、この治具を構成する被押圧体Ｐの分解斜視図である。本発明に係る既設透孔拡大用治具は、建築物の天井板等に穿孔された既設透孔Ｈ’に対して位置決めされた状態で、その周縁部に押圧されるガイド体Ｇ1 と、穿孔具Ｄに押圧されて、該ガイド体Ｇ1 を弾力的に押圧するための被押圧体Ｐとから構成される。前記ガイド体Ｇ1 は、図１及び図２に示されるように、浅い箱を反転させたような形状になっていて、平板状の上板１の周縁部には、平板状の一対の側板２が相対向して設けられていると共に、この一対の側板２と直交する方向に沿って相対向して、縦断面が円弧状となった一対のガイド板３が相対向して設けられている。この一対のガイド板３は、その縦断面が円弧状に形成されていると共に、その横断面は、外面側が僅かに凹面となるような極めて緩やかな円弧状に形成されている。また、この一対のガイド板３は、既設透孔Ｈ’の内周面に当接して、ガイド体Ｇ1 の全体が既設透孔Ｈ’の反対側に抜け出るのを防止すると同時に、該ガイド体が横方向にずれるのを防止する部分であって、ガイド体Ｇ1 の開口側（図１で下側）に向けて大きく開いた形状となっていて、その下端部には、全長に亘ってフランジ４が前記上板１と平行となって設けられている。よって、本実施例のガイド体Ｇ1 のガイド板３は、ガイド体Ｇ1 が既設透孔Ｈ’の反対側に抜け出るのを防止する本来のガイド部としての機能と、該ガイド体Ｇ1 が横方向にずれるのを防止する規制部としての機能とを併有している。この一対のガイド板３は、既設透孔Ｈ’の内周面に当接される部分であって、上記したように、ガイド体Ｇ1 の開口側（図１で下側）に向けて大きく開いた形状となっているのは、所定範囲内における既設透孔Ｈ’の内径のばらつきに対応可能にするためである。
【０００９】
また、ガイド体Ｇ1 の各ガイド板３の部分には、その長手方向の中央部に全高（全幅）に亘って切欠き孔５が設けられ、各切欠き孔５には、上端部が上板１に連結されて、その下端部が自由端となった押圧片６が配置されている。この押圧片６は、階段状の係合段部６ａが形成されていて、押圧片６の非変形時には、係合段部６ａは、前記ガイド板３の外周面よりも外方に突出している。また、上板１の中心部には、被押圧体Ｐを保持するためのテーパー短円筒状の被押圧体保持部７が上方に突設されている。前記した一対のガイド板３は、平面視において前記被押圧体保持部７の中心Ｃ0 を中心とする円弧状に形成されている（図８参照）。
【００１０】
また、前記ガイド体Ｇ1 の被押圧体保持部７には、穿孔具Ｄによって押圧される被押圧体Ｐが下方から押圧された状態で保持される。この被押圧体Ｐは、図１及び図３に示されるように、穿孔具Ｄのセンター軸Ｓが挿入されるセンター軸挿入筒１１と、該センター軸挿入筒１１を挿通保持するための挿入筒保持具１２と、該挿入筒保持具１２に挿通されたセンター軸挿入筒１１を後退方向（穿孔具Ｄの押圧方向と反対方向）に付勢させるための圧縮バネ１３とを主要部材として有している。即ち、センター軸挿入筒１１は、穿孔具Ｄのセンター軸Ｓが僅かの隙間を有して挿入される内径を有していて、その基端部に鍔部１１ａが設けられている。また、挿入筒保持具１２は、テーパー円筒状を呈していて、ガイド体Ｇ1 に設けられた被押圧体保持部７の下方から挿入されて、当該保持部７に保持されて、その上端部の支持円筒部１２ａに設けられた挿通孔１２ｂに鍔付ブッシュ１４を介して前記センター軸挿入筒１１が挿通される。挿入筒保持具１２の下端部には、鍔部１２ｃが設けられ、前記ガイド体Ｇ1 の上板１の下面であって、しかも前記被押圧体保持部７の周縁となる部分に前記鍔部１２ｃが当接して押圧される。また、挿入筒保持具１２の挿通孔１２ｂにセンター軸挿入筒１１が挿通された状態で、該センター軸挿入筒１１の鍔部１１ａと、挿入筒保持具１２の支持円筒部１２ａの下端面との間に前記圧縮バネ１３が弾装されて、該圧縮バネ１３の復元力によって、センター軸挿入筒１１は後退方向に付勢されている。センター軸挿入筒１１の先端部には、止めリング１５が嵌め込まれて、該止めリング１５が、挿入筒保持具１２の支持円筒部１２ａの上端面に当接することにより、該センター軸挿入筒１１の後退端位置が規制されている。また、センター軸挿入筒１１の下端面は、穿孔具Ｄの回転体２４によって押圧される部分であるために、当該部分にはゴムリング１６が一体に貼り付けられている。なお、図１において、１７は、センター軸挿入筒１１の外側に嵌め込まれて、圧縮バネ１３の上端部を当接させるためのバネ座金を示す。
【００１１】
また、前記ガイド体Ｇ1 の一対のガイド板３の最大幅Ｗは、所定範囲内における既設透孔Ｈ’の内径のばらつきに対応可能なように、既設透孔Ｈ’の設計上の内径ｄよりも僅かに大きくなっている（図６参照）。そして、上記実施例では、ガイド体Ｇ1 と被押圧体Ｐとは別体となっていて、ガイド体Ｇ1 の被押圧体保持部７の下方から被押圧体Ｐの挿入筒保持具１２を挿入保持する構成であるため、一対のガイド板３の前記最大幅Ｗが異なる複数種類のガイド体Ｇ1 を製作準備しておいて、異なるガイド体Ｇ1 の被押圧体保持部７に被押圧体Ｐを保持させることにより、この被押圧体Ｐを共用させることができる利点がある。
【００１２】
引き続いて、図５ないし図７を参照にして、穿孔具Ｄの構成について簡単に説明する。この穿孔具Ｄは、公知のものであって、穿孔具本体２１の内部に一対の軸受２２，２３を介して回転体２４が回転可能に支承され、該回転体２４は、第１圧縮バネ２５の復元力によって前記穿孔具本体２１に対して収納される方向に付勢されている。また、回転体２４の中心部には、センター軸Ｓが一対の支承部２４ａ，２４ｂの部分において出入り可能に支承されていると共に、該回転体２４の長手方向の中央部の支承部２４ｂと、その基端部２４ｃとの間の空間部に第２圧縮バネ２６が弾装され、該第２圧縮バネ２６によって前記センター軸Ｓは、回転体２４に対して突出方向に付勢されている。そして、回転体２４における穿孔具本体２１から突出した角筒状の部分に一対の刃物取付フレーム２７が、その長手方向の固定位置が調整可能となって取付けられて、各フレーム２７の先端部に刃物２８がそれぞれ取付けられている。また、穿孔具本体２１には、有底円筒状のカバー２９が取付けられていて、図６に示されるように、非切削時には、各刃物２８は、その全体がカバー２９内に収納されている。そして、カバー２９を天井板３１に当接させた状態にして、ドリル（図示せず）によって回転体２４を回転させながら被穿孔体に対して押圧させることにより、穿孔具本体２１に対して回転体２４を突出させて、穿孔作業を行う。
【００１３】
本発明の既設透孔拡大用治具との関係においては、穿孔具Ｄのセンター軸Ｓが被押圧体Ｐのセンター軸挿入筒１１に挿入されると共に、回転体２４の先端部の支承部２４ａがゴムリング１６を介してセンター軸挿入筒１１の下端面に当接されて、切削が進行することによって、圧縮バネ１３の復元力に抗して、挿入筒保持具１２に対してセンター軸挿入筒１１が上方（突出方向）に移動させられることが、特徴的な作用となる。なお、本発明の既設透孔拡大用治具との関係においては、穿孔具Ｄは、上記のようにして使用されて、被穿孔体である天井板３１に対してセンター軸Ｓが回転体２４と一体となって移動するので、センター軸Ｓが天井板３１に当接する一般の使用方法のように、第２圧縮バネ２６が圧縮されることはない。
【００１４】
そして、上記した治具を使用して、既設透孔Ｈ’と同心の拡大透孔Ｈを穿孔するには、以下のようにして行う。まず、天井板３１に穿孔された既設透孔Ｈ’の下方からガイド体Ｇ1 を押し込むと、図４に示されるように、一対のガイド板３の部分に設けられた各押圧片６がガイド体Ｇ1 の内部に入り込むように弾性変形されて、該押圧片６の外側に階段状となって設けられた係合段部６ａが既設透孔Ｈ’の内周面に対して係合されると共に、ガイド体Ｇ1 の各ガイド板３が既設透孔Ｈ’の内周面に当接される。これにより、ガイド体Ｇ1 は、既設透孔Ｈ’の反対側に抜け出なくなると同時に、横方向にも移動できなくなる。また、ガイド体Ｇ1 に設けられた一対の押圧片６が弾性変形して、その外側に設けられた係合段部６ａが既設透孔Ｈ’の内周面に対して係合されるために、この状態で開放しても、ガイド体Ｇ1 は、既設透孔Ｈ’の周縁部に保持されたままとなって、落下しない。
【００１５】
次に、被押圧体Ｐのセンター軸挿入筒１１に穿孔具Ｄのセンター軸Ｓを挿入した状態にして、既設透孔Ｈ’の周縁部に保持されている前記ガイド体Ｇ1 の被押圧体保持部７の下方から被押圧体Ｐの挿入筒保持具１２を挿入すると、該挿入筒保持具１２の鍔部１２ｃがガイド体Ｇ1 の上板１の下面に当接して、ガイド体Ｇ1 と被押圧体Ｐとが一体に組み付けられた状態となる。そして、図６に示されるように、穿孔具Ｄのカバー２９を天井板３１の下面に当接させた状態にして、ドリルによって回転体２４を回転させながら上方に押し付けると、被押圧体Ｐのセンター軸挿入筒１１によってセンター軸Ｓが、既設透孔Ｈ’の中心Ｃ’と合致するように位置決めされたままで、拡大透孔Ｈの穿孔が開始される。このように、本実施例の被押圧体Ｐは、そのセンター軸挿入筒１１にセンター軸Ｓを挿入して、穿孔時における該センター軸Ｓの位置決めを行うためのセンター軸位置決め部としての機能と、その圧縮バネ１３によって穿孔具Ｄの押圧方向と逆方向に付勢されて、該穿孔具Ｄの押圧力によって前記ガイド体Ｇを天井板３１に対して押圧させるための被押圧部としての機能との双方を有している。
【００１６】
そして、図７に示されるように、被押圧体Ｐのセンター軸挿入筒１１は、圧縮バネ１３の復元力によって穿孔具Ｄの押圧方向と反対方向に付勢された状態で、挿入筒保持具１２に対して上方（突出方向）に移動しながら切削が進行される。この切削の進行中においても、ガイド体Ｇ1 は、穿孔具Ｄの押圧力によって既設透孔Ｈ’の内周面に弾力的に押圧され続けていて、横方向にずれたり、下方に落下されることはないために、穿孔中の拡大透孔Ｈの中心Ｃが既設透孔Ｈ’の中心Ｃ’に対してずれることはない。また、穿孔作業中において、穿孔具Ｄが多少上下動することがあるが、前記ガイド体Ｇ1 は、圧縮バネ１３を介して穿孔具Ｄによって押圧されるために、穿孔具Ｄの上下動は、該圧縮バネ１３により吸収されて、ガイド体Ｇ1 が既設透孔Ｈ’の周縁部に弾力的に押圧された状態が維持される。このため、穿孔具Ｄが多少上下動しても、支障なく穿孔作業を行える。更に、ガイド体Ｇ1 は、既設透孔Ｈ’の周縁部に圧縮バネ１３を介して弾力的に押圧され、しかも穿孔作業中に生ずる振動の一部は、該圧縮バネ１３により吸収されるので、天井板３１が大きくぶれなくなって、拡大透孔Ｈの穿孔作業は円滑に行われる。
【００１７】
このように、拡大透孔Ｈの穿孔中においても、既設透孔Ｈ’に対してガイド体Ｇ1 は、位置決めされたままで、全く移動しないために、穿孔された拡大透孔Ｈの中心Ｃは、既設透孔Ｈ’の中心Ｃ’と一致していて、既設透孔Ｈ’と同心の拡大透孔Ｈが穿孔される（図８参照）。なお、穿孔作業の終了後において、穿孔具Ｄの穿孔具本体２１に対して回転体２４が後退して、これに収納されると、被押圧体Ｐを構成するセンター軸挿入筒１１は、圧縮バネ１３の復元力により挿入筒保持具１２に対して後退して原位置に戻る。
【００１８】
また、上記実施例の既設透孔拡大用治具は、一対のガイド板３の最大幅Ｗの異なる複数種類のガイド体Ｇ1 に対して一つの被押圧体Ｐが共用できる利点があるが、図９及び図１０に示されるように、ガイド体Ｇ2 と被押圧体Ｐ’とを一体に組み付けてもよい。この実施例では、ガイド体Ｇ2 の上板１の中心部に上方に向けて突設された短円筒状の固定部４１の内周面に鍔付ブッシュ１４を嵌合させて、この固定部４１の部分に被押圧体Ｐ’が一体に組み付けられている。
【００１９】
【００２０】
【００２１】
また、上記実施例は、既設透孔と同心の拡大透孔を穿孔する例であるが、被押圧部に対する穿孔具のセンター軸の位置決めの位置によって、既設透孔に対して偏心した位置に拡大透孔を穿孔することも可能である。更に、既設透孔拡大用治具が横方向にずれるのを規制するための規制部を有していない構造のものも、本発明の技術的範囲に含まれる。なお、上記実施例では、天井板に穿孔された既設透孔を拡大させる場合について説明したが、拡大透孔を穿孔する対象である被穿孔体は、天井板に限られず、側板等の如何なるものであってもよい。
【００２２】
【発明の効果】
本発明に係る既設透孔拡大用治具は、上記構成であるので、以下のような諸効果が奏される。
（１）ガイド部は、その側面部に自身の弾性力により既設透孔の周縁部を押圧させるための押圧部を備えていて、穿孔具の押圧力による既設透孔に対するガイド部の保持力が大きくなって、既設透孔の反対側に抜け出ないようにガイドされると共に、ガイド部の横方向への位置ずれと、落下との双方が防止され、しかも穿孔作業中において、穿孔具が多少上下動しても、被押圧部を構成する付勢手段によって、該上下動は吸収されて、前記ガイド部は、被穿孔体に対して弾力的に押圧されるので、穿孔具のセンター位置は、終始位置ずれしない。この結果、既設透孔の中心に対して定められた位置に中心を有する拡大透孔が確実に穿孔される。
（２）穿孔作業中に生ずる振動の一部は、被押圧部を構成する付勢手段により吸収されるために、被穿孔体が大きくぶれたりしなくなって、穿孔作業を円滑に行える。
（３）ガイド部に、階段状に形成された係合段部を形成した場合には、既設透孔の公差に対応できて、多少大きさの異なる既設透孔に対してもガイド部を位置決め状態で、保持させることができる。
（４）ガイド部と被押圧部とを別体構造にすると、大きさの異なる複数のガイド部に対して被押圧部を共用させることができる。
【図面の簡単な説明】
【図１】  本発明に係る既設透孔拡大用治具を既設透孔Ｈ’の周縁部に当てがった状態の断面図である。
【図２】  上記治具を構成するガイド体Ｇ1 の斜視図である。
【図３】  上記治具を構成する被押圧体Ｐの分解斜視図である。
【図４】  図１における押圧片６の部分の拡大図である。
【図５】  穿孔具Ｄを下方から見た部分斜視図である。
【図６】  本発明に係る治具を使用して拡大透孔Ｈの穿孔作業を開始する直前の状態を示す断面図である。
【図７】  同じく拡大透孔Ｈの穿孔作業が終了した状態を示す断面図である。
【図８】  既設透孔Ｈ’と同心の拡大透孔Ｈが穿孔されることを示す平面図である。
【図９】  被押圧体Ｐ’が一体に組み付けられるガイド体Ｇ2 の平面図である。
【図１０】  ガイド体Ｇ2 に対して被押圧体Ｐ’が一体に組み付けられた状態の断面図である。
【符号の説明】
Ｄ：穿孔具
Ｇ1 〜Ｇ2 ：ガイド体
Ｈ：拡大透孔
Ｈ’：既設透孔
Ｐ，Ｐ’：被押圧体（被押圧部）
Ｓ：穿孔具のセンター軸
３：ガイト板（ガイド部）
６：押圧片
６ａ：係合段部
１１：センター軸挿入筒（センター軸位置決め部）
１３：圧縮バネ（付勢手段）
３１：天井板（被穿孔体）
【図１】
0003664850.tif 000002
【図２】
0003664850.tif 000003
【図３】
0003664850.tif 000004
【図４】
0003664850.tif 000005
【図５】
0003664850.tif 000006
【図６】
0003664850.tif 000007
【図７】
0003664850.tif 000008
【図８】
0003664850.tif 000009
【図９】
0003664850.tif 000010
【図１０】
0003664850.tif 000011